(57)【特許請求の範囲】
【請求項１】
アンテナで受信した信号を分岐する分岐部と、前記分岐部から得られる一方の信号を検波し受信レベル信号を出力する検波部と、前記分岐部から得られる他方の信号を増幅部を介して受け受信電界強度信号を生成する受信電界強度信号生成部と、受信した信号が所望の通信相手からの受信信号である旨を検出する識別部と、前記検波部および前記受信電界強度信号生成部からの信号を前記識別部からの信号に応じて選択的に入力し、それぞれ出力信号として順次導出する選択部と、前記選択部の出力信号を受け受信レベルを判定する受信レベル判定部とを備え、前記受信レベル判定部の判定結果に応じて前記選択部から順次導出された出力信号の一方を選択して出力することを特徴とする広ダイナミックレンジ受信レベル検出装置。
【請求項２】
高周波信号を受信するアンテナと、このアンテナによる受信信号を増幅するための増幅部と、この増幅部からの信号を局発部からの局発信号と混合して周波数変換を行いＩＦ（中間周波数）信号を得るＭＩＸ部と、ＩＦ信号を所望電圧レベルまで増幅するＩＦ増幅部と、ＩＦ増幅部の出力を復調し復調デ−タを得る復調部と、この復調デ−タから所望の通信相手からの受信信号である旨を検出する識別部と、ＩＦ増幅部から供給される信号により受信電界強度信号を生成する受信電界強度信号生成部と、この受信電界強度信号生成部の出力信号（アナログ値）をデジタル信号に変換するＡ／Ｄ変換部と、予め求めておいた補正値によりＡ／Ｄ変換器出力信号を補正しアンテナ端受信レベルに置き換えるための補正／演算部から構成される受信レベル検出装置において、アンテナで受信した高周波信号を分岐する分岐部と、分岐部から得られる一信号を検波し平均受信レベルを出力する検波部と、識別部からの信号に一定量の遅延を加えて出力する遅延部と、識別部からの信号および遅延部からの信号により入力回路を選択し受信電界強度信号生成部からの第１の信号と検波部からの第２の信号とを選択的に入力して、それぞれ出力信号として順次出力する選択部と、受信電界強度信号生成部からの第１の信号および検波部からの第２の信号の前記Ａ／Ｄ変換器によるＡ／Ｄ変換後における二つのデジタル信号列の信号レベルを監視し、前記二つのデジタル信号列のうちから、その第１，第２の信号としてのデジタル信号列の一方を、補正処理をして出力すべき適切な信号として選択するレベル判定部とを備えたことを特徴とする広ダイナミックレンジ受信レベル検出装置。
【請求項３】
前記検波部出力を所望受信区間外は低レベルに設定するための放電回路部と、この放電回路部を所定期間のみ動作させるよう制御するためのカウンタ部とを備えたことを特徴とする請求項１または請求項２に記載の広ダイナミックレンジ受信レベル検出装置。
【請求項４】
ＴＤＭＡ（時分割多重）通信を行う移動体通信システムでの適用を前提とし、前記分岐部を送受信回路系統を切り分けるアンテナスイッチ部および、受信時に送信回路側を開放する切替スイッチから構成し、前記検波部の前段にアンテナスイッチ部アイソレ−ション量とほぼ同等の増幅度を有する第２の増幅部を備えたことを特徴とする請求項１ないし請求項３のいずれかに記載の広ダイナミックレンジ受信レベル検出装置。
【発明の詳細な説明】
【０００１】
【発明の属する技術分野】
この発明は、移動体通信装置等の用途に適した受信レベル検出装置に関し、特に移動体通信システムの移動局側に搭載され、基地局検索時における検索時間の短縮と広範囲検出レンジを同時に実現する広ダイナミックレンジ受信レベル検出装置に関するものである。
【０００２】
【従来の技術】
図８に従来の受信レベル検出装置の構成を示す。
図において、１はアンテナであり到来する電波を受信し電気信号として出力する。２はアンテナ１より供給された高周波信号を増幅する増幅部である。３は高周波信号と局発部４からの局発信号を混合しＩＦ信号を得るＭＩＸ部である。
５はＭＩＸ部３から出力されたＩＦ信号を所望電圧レベルまで増幅するＩＦ増幅部であり、６はＩＦ増幅部５からの信号を検波し受信電界強度信号電圧値を出力する受信電界強度信号生成部（以下、ＲＳＳＩ検出部という）である。７はＩＦ増幅部６において所望電圧レベルまで増幅された信号を復調する復調部である。
８は復調部７からの復調信号より受信信号が所望通信相手からの信号である旨の検出を行う識別部であり、Ａ／Ｄ変換部９はＲＳＳＩ検出部６からのアナログ信号をデジタル信号列に変換し出力する。
補正／演算回路部１０はＡ／Ｄ変換器から出力されたデジタル信号列に対し予め取得しておいた補正値を用いて演算しアンテナ端受信電界レベルに対応した値に置き換える。
【０００３】
次に、動作について説明する。
図８において、アンテナ１にて受信された高周波信号は増幅部２にて帯域増幅されＭＩＸ部３にて局発部４から供給される局発信号と混合されＩＦ周波数に変換される。その後、ＩＦ増幅部５にて復調に必要な電圧レベルまで増幅された後、復調部７にて復調される。
一方、ＩＦ増幅部５からはＩＦ増幅部５への入力電圧レベルに相当した信号が出力されており、ＲＳＳＩ検出部６ではこの信号を検出し電界強度値として入力電圧に対数比例した電圧出力を行う。その後、ＲＳＳＩ検出部６からの出力はデ−タ処理を簡素化するためにＡ／Ｄ変換器９においてデジタル信号列化され、補正／演算回路部１０を経て出力される。また、識別部８は受信され復調された信号が所望の通信相手からの信号である旨を識別するための回路であり、ＰＨＳ等の移動体通信システムではユニ−クワ−ド（ＵＷ）と称されるデ−タ列の検出を行っている。
【０００４】
本構成において、受信電界レベルの検出範囲は増幅部２およびＭＩＸ部３の飽和特性，ＩＦ増幅部５とＲＳＳＩ検出部６の直線性，およびＡ／Ｄ変換器９の入力電圧範囲により制限され、広範囲（特に、高入力電界レベル）の受信レベル測定が正確に行えない。
【０００５】
ところで、上記受信電界レベルの広範囲化については増幅部以降の回路において工夫を凝らして対応する方策（特開平５−４８３５７号公報、特開平１−２０８９１５号公報）等が開示されている。
【０００６】
しかしながら、いずれの方策においても初段増幅部の飽和特性を回避できるものではなく、且つ移動体通信システム等の移動局に搭載される受信レベル検出装置に要求される高速性と広範囲検出レンジを同時に実現するものではない。
【０００７】
【発明が解決しようとする課題】
従来の受信レベル検出装置は以上のように構成されていたため、初段増幅部の飽和特性により高レベルでの検出範囲に制限が発生するとともに、所望基地局からの受信信号を同一到来時間上で広範囲に検出することが出来ないという問題があった。
【０００８】
この発明は、上記のような問題点を解決するためになされたもので、増幅部における飽和特性を回避し入力信号検出範囲の拡大を図るとともに、正確且つ迅速に受信レベル検出が可能となる受信レベル検出装置を提供することを目的とする。
【０００９】
【課題を解決するための手段】
第１の発明に係る広ダイナミックレンジ受信レベル検出装置は、アンテナで受信した信号を分岐する分岐部と、前記分岐部から得られる一方の信号を検波し受信レベル信号を出力する検波部と、前記分岐部から得られる他方の信号を増幅部を介して受け受信電界強度信号を生成する受信電界強度信号生成部と、受信した信号が所望の通信相手からの受信信号である旨を検出する識別部と、前記検波部および前記受信電界強度信号生成部からの信号を前記識別部からの信号に応じて選択的に入力し、それぞれ出力信号として順次導出する選択部と、前記選択部の出力信号を受け受信レベルを判定する受信レベル判定部とを備え、前記受信レベル判定部の判定結果に応じて前記選択部から順次導出された出力信号の一方を選択して出力するものである。
【００１０】
第２の発明に係る広ダイナミックレンジ受信レベル検出装置は、高周波信号を受信するアンテナと、このアンテナによる受信信号を増幅するための増幅部と、この増幅部からの信号を局発部からの局発信号と混合して周波数変換を行いＩＦ（中間周波数）信号を得るＭＩＸ部と、ＩＦ信号を所望電圧レベルまで増幅するＩＦ増幅部と、ＩＦ増幅部の出力を復調し復調デ−タを得る復調部と、この復調デ−タから所望の通信相手からの受信信号である旨を検出する識別部と、ＩＦ増幅部から供給される信号により受信電界強度信号を生成する受信電界強度信号生成部と、この受信電界強度信号生成部の出力信号（アナログ値）をデジタル信号に変換するＡ／Ｄ変換部と、予め求めておいた補正値によりＡ／Ｄ変換器出力信号を補正しアンテナ端受信レベルに置き換えるための補正／演算部から構成される受信レベル検出装置において、アンテナで受信した高周波信号を分岐する分岐部と、分岐部から得られる一信号を検波し平均受信レベルを出力する検波部と、識別部からの信号に一定量の遅延を加えて出力する遅延部と、識別部からの信号および遅延部からの信号により入力回路を選択し受信電界強度信号生成部からの第１の信号と検波部からの第２の信号とを選択的に入力して、それぞれ出力信号として順次出力する選択部と、受信電界強度信号生成部からの第１の信号および検波部からの第２の信号の前記Ａ／Ｄ変換器によるＡ／Ｄ変換後における二つのデジタル信号列の信号レベルを監視し、前記二つのデジタル信号列のうちから、その第１，第２の信号としてのデジタル信号列の一方を、補正処理をして出力すべき適切な信号として選択するレベル判定部とを備えたものである。
【００１１】
第３の発明に係る広ダイナミックレンジ受信レベル検出装置は、前記検波部出力を所望受信区間外は低レベルに設定するための放電回路部と、この放電回路部を所定期間のみ動作させるよう制御するためのカウンタ部とを備えたものである。
【００１２】
第４の発明に係る広ダイナミックレンジ受信レベル検出装置は、ＴＤＭＡ（時分割多重）通信を行う移動体通信システムでの適用を前提とし、前記分岐部を送受信回路系統を切り分けるアンテナスイッチ部および、受信時に送信回路側を開放する切替スイッチから構成し、前記検波部の前段にアンテナスイッチ部アイソレ−ション量とほぼ同等の増幅度を有する第２の増幅部を備えたものである。
【００１３】
第１の発明に係る広ダイナミックレンジ受信レベル検出装置においては、アンテナで受信した高周波信号を分岐する分岐部と、前記分岐部から得られる一方の信号を検波し受信レベル信号を出力する検波部と、前記分岐部から得られる他方の信号を増幅部を介して受け受信電界強度信号を生成する受信電界強度信号生成部と、受信した信号が所望の通信相手からの受信信号である旨を検出する識別部と、前記検波部および前記受信電界強度信号生成部からの信号を前記識別部からの信号に応じて選択的に入力し、それぞれ出力信号として順次導出する選択部と、前記選択部の出力信号を受け受信レベルを判定する受信レベル判定部とを備え、高レベル範囲の直線性確保と低レベル範囲での直線性確保をそれぞれ独立の検出回路で行い且つ、同一受信電波をそれぞれの検出回路で独立に検出したのち正確な受信レベルを検出している検出回路側を判断し出力するものである。
【００１４】
第２の発明に係る広ダイナミックレンジ受信レベル検出装置においては、アンテナで受信した高周波信号を分岐する分岐部と、分岐部から得られる一信号を検波し平均受信レベルを出力する検波部と、識別部からの信号に一定量の遅延を加えて出力する遅延部と、識別部からの信号および遅延部からの信号により入力回路を選択する選択部とＡ／Ｄ変換後のレベルを監視し適切な入力信号を選択するレベル判定部とを備え、高レベル範囲の直線性確保と低レベル範囲での直線性確保をそれぞれ独立の検出回路で行い且つ、同一受信電波をそれぞれの検出回路で独立に検出したのち正確な受信レベルを検出している検出回路側を判断し出力するものである。
【００１５】
第３の発明に係る広ダイナミックレンジ受信レベル検出装置においては、第１または第２の発明に対して、検波部出力を所望受信区間外は低レベルに設定するための放電回路部と、この放電回路部を制御するためのカウンタ部を更に備え、時間軸上で分離（ＰＨＳ等で採用されているＴＤＭＡ方式）されて到来してくる各基地局の電波の強弱を正確に判定するために各基地局の電波受信毎に放電回路を動作させ、検出回路出力を低レベルから再起動させ、前受信波の影響を解消し出力するものである。
【００１６】
第４の発明に係る広ダイナミックレンジ受信レベル検出装置においては、第１の発明に対して、分岐部構成を送受信回路系統を切り分けるアンテナスイッチ部および、受信時に送信側を開放する切替スイッチから構成し、検波部の前段にアンテナスイッチ部アイソレ−ション量とほぼ同等の増幅度を有する増幅部を備え、分岐部での損失を低減することにより受信感度の低下を抑制しつつ広範囲検出レンジを実現するものである。
【００１７】
【発明の実施の形態】
実施の形態１．
以下、この発明の一実施形態を図について説明する。図１は、この発明に係る受信レベル検出装置を示す構成図である。図２（ａ）は選択部の構成を示す接続図、図２（ｂ）はタイムチャートを示す図である。図３は補正／演算部の構成を示す接続図である。
図１において、１はアンテナであり到来する電波を受信し電気信号として出力する。１１はアンテナからの電気信号を分配する分岐部であり、２は分岐部１１からの高周波信号を増幅する増幅部である。３は高周波信号と局発部４からの局発信号を混合しＩＦ信号を得るＭＩＸ部である。
５はＭＩＸ部３から出力されたＩＦ信号を所望電圧レベルまで増幅するＩＦ増幅部であり、６はＩＦ増幅部５からの信号を検波し受信電界強度信号電圧値を出力するＲＳＳＩ検出部である。７はＩＦ増幅部６において所望電圧レベルまで増幅された信号を復調する復調部である。
８は復調部７からの復調信号より受信信号が所望通信相手からの信号である旨の検出を行う識別部であり、１４は識別部８からの制御信号および１３の遅延部からの制御信号により入力信号を切り分ける選択部である。
Ａ／Ｄ変換部９は選択部１４からのアナログ信号をデジタル信号列に変換し出力する。
１５はＡ／Ｄ変換部９からの信号を判定するレベル判定部であり、補正／演算回路部１０はＡ／Ｄ変換器から出力されたデジタル信号列に対し予め取得しておいた補正値を用いて演算しアンテナ端受信電界レベルに対応した値に置き換える。
また、１２は分岐部１１からのもう一方の高周波信号を検波し平均化する検波部であり、選択部１４の片側入力に供給される。
【００１８】
次に、動作について説明する。なお、一般的な受信レベル検出装置の動作については従来技術において既に説明を行ったので省略し、ここでは、発明部分の動作についてのみ説明する。
【００１９】
図１において、アンテナ１にて受信された高周波信号は分岐部１１において２分配される。一方の信号は従来技術で説明のとおり受信動作を行う回路系に供給され、もう一方の信号は高周波信号を直接検波し受信入力レベルに対応した電圧値を出力し、選択部１４の片側入力端子へ供給される。
【００２０】
次に、選択部１４の動作について説明する。図２において、選択部内のロジック回路１４ａは、図２（ｂ）のタイムチャートに示すように、識別部８からの識別信号（ＣＴＬＡ）によりスイッチ回路１４ｂの端子をア入力端子側に閉じる。この時、ア入力端子側にはＲＳＳＩ検出部６からの信号が接続されておりＡ／Ｄ変換部９ではＲＳＳＩ検出部６からの信号を第１の信号としてデジタル信号列化して出力する。
次いで、ロジック回路１４ａは、図２（ｂ）のタイムチャートに示すように、遅延部１３からの信号（ＣＴＬＢ）によりスイッチ回路１４ｂの端子をイ入力端子側に閉じる。この時、イ入力端子側には検波部１２からの信号が接続されておりＡ／Ｄ変換部９では検波部１２からの信号を第２の信号としてデジタル信号列化して出力する。
【００２１】
次に、補正／演算部１０の動作について説明する。図３において、Ａ／Ｄ変換部９からの第１および第２の信号としての二つの信号デジタル信号列は補正／演算部内メモリブロック１０ａ内に選択部１４からの選択信号により区別されたかたちでストアされる。
その後、レベル判定部１５の判定結果により、ＲＳＳＩ検出部６から選択部１４を介してＡ／Ｄ変換部９の出力信号とされた第１の信号としてのデジタル信号列と、検波部１２から選択部１４を介してＡ／Ｄ変換部９の出力信号とされた第２の信号としてのデジタル信号列との、二つのデジタル信号列のうちから、その第１，第２の信号としてのデジタル信号列の一方を、補正処理をして出力すべき信号として選択し出力する。
なお、補正値テ−ブル１０ｂは予め取得しておいた補正値（アンテナ端受信電力値に置き換えるための値）を収納しており、レベル判定結果に基づいて演算回路１０ｃに提供し適切な補正処理を行いＲＳＳＩ値として出力する。
【００２２】
以上に述べた動作により、初段増幅部における飽和特性を回避し入力電圧検出レベル範囲の拡大を図るとともに、正確且つ短時間にて受信レベル検出が可能となる。
【００２３】
この発明による実施の形態１によれば、高周波信号を受信するアンテナ１と、このアンテナ１による受信信号を増幅するための増幅部２と、この増幅部２からの信号を局発部４からの局発信号と混合して周波数変換を行いＩＦ（中間周波数）信号を得るＭＩＸ部３と、ＩＦ信号を所望電圧レベルまで増幅するＩＦ増幅部５と、ＩＦ増幅部５の出力を復調し復調デ−タを得る復調部７と、この復調デ−タから所望の通信相手（例えば、移動体通信システムにおける基地局等）からの受信信号である旨を検出する識別部８と、ＩＦ増幅部５から供給される信号により受信電界強度信号を生成するＲＳＳＩ検出部６と、このＲＳＳＩ検出部６の出力信号（アナログ値）をデジタル信号に変換するＡ／Ｄ変換部９と、予め求めておいた補正値によりＡ／Ｄ変換器出力信号を補正しアンテナ端受信レベルに置き換えるための補正／演算部１０から構成される受信レベル検出装置において、アンテナ１で受信した高周波信号を分岐する分岐部１１と、分岐部１１から得られる一信号を検波し平均受信レベル（直流電圧）を出力する検波部１２と、識別部８からの信号に一定量の遅延を加えて出力する遅延部１３と、識別部８からの信号および遅延部１３からの信号により入力回路を選択しＲＳＳＩ検出部６からの第１の信号と検波部１２からの第２の信号とを選択的に入力し、それぞれ出力信号として順次出力する選択部１４と、ＲＳＳＩ検出部６からの第１の信号および検波部１２からの第２の信号の前記Ａ／Ｄ変換器９によるＡ／Ｄ変換後における二つのデジタル信号列の信号レベルを監視し、前記二つのデジタル信号列のうちから、その第１，第２の信号としてのデジタル信号列の一方を、補正処理をして出力すべき適切な信号として選択するレベル判定部１５とを備えることにより、次のような効果を奏することができる。
初段増幅部における飽和特性を回避し入力電圧検出レベル範囲の拡大を図るとともに、正確且つ短時間にて受信レベル検出が可能となる。受信レベルの検出範囲を低入力側は受信電界強度信号検波系、高入力側は直接検波系に分担し且つ、高入力側を担当する直接検波系に対しては増幅部を介さないことから増幅部での飽和特性による非線形性の影響を回避できるとともに、所望通信相手からの受信信号を同一到来時間上で検出することが可能となるのである。
すなわち、受信レベル判定部１５により得られた受信レベルが比較的低いレベルの場合はＲＳＳＩ検出部６からの第１の信号を選択し、且つ、受信レベルが比較的高い場合には検波部１２からの第２の信号を選択して増幅部２における飽和特性を回避し入力電圧検出レベル範囲の拡大を図ることができるとともに、正確に、しかも短時間で受信レベル検出が可能となる効果がある。
【００２４】
実施の形態２．
図４は第２の実施形態を示す構成図である。図において、１６は検出部１２の出力を受信区間外にて低レベル（０Ｖレベル付近）まで下げるための放電回路であり、カウンタ部１７により一定期間動作するように制御されている。
その他の構成については、実施の形態１と同様である。
【００２５】
次に、動作について説明する。カウンタ部１７は識別部８からの識別信号を受けカウント動作を開始し、一定カウント後予め設定しておいた期間のみ放電回路１６を動作させることにより検波部１２の出力電圧の早期低下を図り、次タイミングに受信される高周波信号の受信レベルを正確に取得できることを可能としている。
その他の動作については、実施の形態１と同様である。
【００２６】
図５において詳細説明を行う。アンテナ端にて受信された信号は変調波成分と電波伝搬によるマルチパスの影響が重畳された状態となり、包絡線の変化として表現されている。検波部１２ではこの包絡線の変化を平均化するための時定数を有しているためその出力信号は図示するとおり直流化される。ただ、一般的に時定数の大きな回路では入力信号が低レベルになった時点でも即応答して出力レベルが低下するものではなく自然放電する形で低下する。
ここでは、この影響を低減するために受信区間外にて強制的に低レベルに下げる回路として放電回路１６を付加する。
カウンタ回路１７は識別部８からの信号を受けカウントを開始し、一定期間後にカウント完了パルスを出力する。放電回路１６はこのカウント完了パルス期間のみ動作し検出器出力を低レベルまで低下させる。
なお、その他の動作については実施の形態１と同一であるため説明を省略する。
【００２７】
この発明による実施の形態２によれば、検波部１２の出力を所望受信区間外は低レベルに設定するための放電回路１６と、この放電回路１６を所定期間のみ動作させるよう制御するためのカウンタ回路１７を備えたので、時間軸上で分割受信される信号に対する直接検波回路の検出精度を更に高める効果がある。
すなわち、ＲＳＳＩ検出部６からの信号と別に選択部１４に入力される検波部１２からの信号による検出精度を更に高めることができるのである。
【００２８】
実施の形態３．
図６は第３の実施形態を示す構成図である。この実施の形態３はＰＨＳ等に採用されているＴＤＭＡ通信を採用する移動局に適用されるものである。
図において、１８は送信側と受信側を切り換えるためのアンテナスイッチであり、１９は受信時に検出部１２側へ閉じる切替スイッチである。２０はアンテナスイッチ１８のアイソレ−ション量を補償するための第２の増幅部であり、２１は送信側回路ブロックである。
【００２９】
次に、動作について説明する。アンテナスイッチ１８は送受信動作に同期して動作し、受信時には受信回路側に閉じるためこの回路部分での損失を最小値に抑えることが出来る。
切替スイッチ１９も送受信動作に同期して動作し、受信時には検波部１２側に閉じ、送信側回路ブロック２１に対してアイソレ−ションを確保している。
第２の増幅部２０は、切替スイッチからの受信高周波信号を増幅しアンテナスイッチ１８でのアイソレ−ション量（約２０ｄＢ）を補うための増幅動作を行う。なお、その他の動作については実施の形態１と同一であるため説明を省略する。
【００３０】
この実施の形態３では、分岐部１１の構成をアンテナスイッチ１８，切替スイッチ１９および第２の増幅部２０から構成することにより受信装置の受信感度を低下させずに同様の効果を奏することが可能である。
【００３１】
この発明による実施の形態３によれば、ＴＤＭＡ（時分割多重）通信を行う移動体通信システムでの適用を前提とし、分岐部１１を送受信回路系統を切り分けるアンテナスイッチ１８、および、受信時に送信回路側を開放する切替スイッチ１９から構成し、検波部１２の前段にアンテナスイッチ部アイソレ−ション量とほぼ同等の増幅度を有する第２の増幅部２０を備えたので、受信感度特性の劣化を防ぐ効果がある。
【００３２】
実施の形態４．
図７は、第４の実施形態を示す構成図である。この実施の形態４は実施の形態３を実施の形態２に適用したものである。
図において、１６は検出部１２の出力を受信区間外にて低レベル（０Ｖレベル付近）まで下げるための放電回路であり、カウンタ部１７により一定期間動作するように制御されている。
１８は送信側と受信側を切り換えるためのアンテナスイッチであり、１９は受信時に検出部１２側へ閉じる切替スイッチである。２０はアンテナスイッチ１８のアイソレ−ション量を補償するための第２の増幅部であり、２１は送信側回路ブロックである。
その他の構成については、実施の形態１〜３と同様である。
【００３３】
次に、動作について説明する。アンテナスイッチ１８は送受信動作に同期して動作し、受信時には受信回路側に閉じるためこの回路部分での損失を最小値に抑えることが出来る。
切替スイッチ１９も送受信動作に同期して動作し、受信時には検波部１２側に閉じ、送信側回路ブロック２１に対してアイソレ−ションを確保している。
第２の増幅部２０は、切替スイッチからの受信高周波信号を増幅しアンテナスイッチ１８でのアイソレ−ション量（約２０ｄＢ）を補うための増幅動作を行う。
カウンタ回路１７は識別部８からの信号を受けカウントを開始し、一定期間後にカウント完了パルスを出力する。放電回路１６はこのカウント完了パルス期間のみ動作し検出器１２の出力を低レベルまで低下させる。
なお、その他の動作については実施の形態１〜３と同一であるため説明を省略する。
【００３４】
この発明による実施の形態４によれば、検波部１２の出力を所望受信区間外は低レベルに設定するための放電回路１６と、この放電回路１６を所定期間のみ動作させるよう制御するためのカウンタ回路１７を備えた広ダイナミックレンジ受信レベル検出装置において、ＴＤＭＡ（時分割多重）通信を行う移動体通信システムでの適用を前提とし、分岐部１１を送受信回路系統を切り分けるアンテナスイッチ１８および、受信時に送信回路側を開放する切替スイッチ１９から構成し、検波部１２の前段にアンテナスイッチ部アイソレ−ション量とほぼ同等の増幅度を有する第２の増幅部２０を備えたので、時間軸上で分割受信される信号に対する直接検波回路の検出精度を更に高めるとともに、受信感度特性の劣化を防ぐ効果がある。
【００３５】
【発明の効果】
第１の発明によれば、アンテナで受信した信号を分岐する分岐部と、前記分岐部から得られる一方の信号を検波し受信レベル信号を出力する検波部と、前記分岐部から得られる他方の信号を増幅部を介して受け受信電界強度信号を生成する受信電界強度信号生成部と、受信した信号が所望の通信相手からの受信信号である旨を検出する識別部と、前記検波部および前記受信電界強度信号生成部からの信号を前記識別部からの信号に応じて選択的に入力し、それぞれ出力信号として順次導出する選択部と、前記選択部の出力信号を受け受信レベルを判定する受信レベル判定部とを備え、前記受信レベル判定部の判定結果に応じて前記選択部から順次導出された出力信号の一方を選択して出力するようにしたので、受信レベル判定部により得られた受信レベルが比較的低いレベルの場合は受信電界強度信号生成部からの信号を選択し、且つ、受信レベルが比較的高い場合には検波部からの信号を選択して、増幅部における飽和特性を回避し入力信号検出範囲の拡大を図ることができるとともに、正確に、しかも短時間で受信レベル検出が可能となる効果がある。
【００３６】
第２の発明によれば、高周波信号を受信するアンテナと、このアンテナによる受信信号を増幅するための増幅部と、この増幅部からの信号を局発部からの局発信号と混合して周波数変換を行いＩＦ（中間周波数）信号を得るＭＩＸ部と、ＩＦ信号を所望電圧レベルまで増幅するＩＦ増幅部と、ＩＦ増幅部の出力を復調し復調デ−タを得る復調部と、この復調デ−タから所望の通信相手からの受信信号である旨を検出する識別部と、ＩＦ増幅部から供給される信号により受信電界強度信号を生成する受信電界強度信号生成部と、この受信電界強度信号生成部の出力信号（アナログ値）をデジタル信号に変換するＡ／Ｄ変換部と、予め求めておいた補正値によりＡ／Ｄ変換器出力信号を補正しアンテナ端受信レベルに置き換えるための補正／演算部から構成される受信レベル検出装置において、アンテナで受信した高周波信号を分岐する分岐部と、分岐部から得られる一信号を検波し平均受信レベルを出力する検波部と、識別部からの信号に一定量の遅延を加えて出力する遅延部と、識別部からの信号および遅延部からの信号により入力回路を選択し受信電界強度信号生成部からの第１の信号と検波部からの第２の信号とを選択的に入力して、それぞれ出力信号として順次出力する選択部と、受信電界強度信号生成部からの第１の信号および検波部からの第２の信号の前記Ａ／Ｄ変換器によるＡ／Ｄ変換後における二つのデジタル信号列の信号レベルを監視し、前記二つのデジタル信号列のうちから、その第１，第２の信号としてのデジタル信号列の一方を、補正処理をして出力すべき適切な信号として選択するレベル判定部とを備えたので、受信レベル判定部により得られた受信レベルが比較的低いレベルの場合は受信電界強度信号生成部からの第１の信号を選択し、且つ、受信レベルが比較的高い場合には検波部からの第２の信号を選択して、増幅部における飽和特性を回避し入力信号検出範囲の拡大を図ることができるとともに、正確に、しかも短時間で受信レベル検出が可能となる効果がある。
【００３７】
第３の発明によれば、検波部出力を所望受信区間外は低レベルに設定するための放電回路部と、この放電回路部を所定期間のみ動作させるよう制御するためのカウンタ部とを備えたので、受信電界強度信号生成部からの信号と別に選択部に入力される検波部からの信号による検出精度を更に高めることができる効果がある。
【００３８】
第４の発明によれば、ＴＤＭＡ（時分割多重）通信を行う移動体通信システムでの適用を前提とし、分岐部を送受信回路系統を切り分けるアンテナスイッチおよび受信時に送信回路側を開放する切替スイッチから構成し、検波部の前段にアンテナスイッチ部アイソレ−ション量とほぼ同等の増幅度を有する第２の増幅部を備えたので、受信感度特性の劣化を防ぐ効果がある。
【図面の簡単な説明】
【図１】  この発明に係る実施の形態１を説明するための受信レベル検出装置の構成を示す図である。
【図２】  この発明に係る実施の形態１の詳細動作を説明するための選択部の構成を示す図である。
【図３】  この発明に係る実施の形態１の詳細動作を説明するための補正／演算部の構成を示す図である。
【図４】  この発明に係る実施の形態２を説明するための受信レベル検出装置の構成を示す図である。
【図５】  この発明に係る実施の形態２の詳細動作を説明するための図である。
【図６】  この発明に係る実施の形態３を説明するための受信レベル検出装置の構成を示す図である。
【図７】  この発明に係る実施の形態４を説明するための受信レベル検出装置の構成を示す図である。
【図８】  従来技術を説明するための受信レベル検出装置の構成を示す図である。
【符号の説明】
１  アンテナ部、２  増幅部、３  ＭＩＸ部、４  局発部、５  ＩＦ増幅部、６  ＲＳＳＩ検出部、７  復調部、８  識別部、９  Ａ／Ｄ変換部、  １０  補正／演算部、１１  分岐部、１２  検波部、１３  遅延部、１４  選択部、１５レベル判定部、１６  放電回路、１７  カウンタ回路、１８  アンテナスイッチ、１９  切替スイッチ、２０  第２の増幅部、２１  送信回路側ブロック、１０ａ  メモリブロック、１０ｂ  補正値テ−ブル、１０ｃ  演算回路、１４ａ
ロジック回路、１４ｂ  ＳＷ回路。
【図１】
0003739957.tif 000002
【図２】
0003739957.tif 000003
【図３】
0003739957.tif 000004
【図４】
0003739957.tif 000005
【図５】
0003739957.tif 000006
【図６】
0003739957.tif 000007
【図７】
0003739957.tif 000008
【図８】
0003739957.tif 000009